(57)【要約】【課題】２筐体を連結するヒンジ部に配置される配線用ケーブルにおいて、筐体の回動動作に伴う巻回部の拡大を抑制して占有スペースの縮小を図る。また、前記した配線用ケーブルを備える折畳式電子機器と、ケーブル配線方法と、を提供する。【解決手段】２筐体を連結する２軸ヒンジ部３０内に配置される配線用ケーブル４０には、複数の巻回部４１ａ、４２ａが設けられており、隣接する巻回部４１ａ、４２ａの巻回方向が相互に逆方向に設定されている。また、２つの回動軸３１、３２を有する２軸ヒンジ部３０を介して２筐体１０、２０が回動可能に連結されてなる折畳式電子機器１において、前記した配線用ケーブル４０が２軸ヒンジ部３０内に配置され、配線用ケーブル４０の一の巻回部４１ａが２軸ヒンジ部３０の一方の回動軸３１周りに設けられるとともに、他の巻回部４２ａが２軸ヒンジ部３０の他方の回動軸３２周りに設けられている。【選択図】  図２
2005019629.tif 000002
【特許請求の範囲】
【請求項１】
２筐体を連結するヒンジ部内に配線される配線用ケーブルにおいて、
複数の巻回部が設けられるとともに、隣接する前記巻回部の巻回方向が相互に逆方向に設定されてなることを特徴とする配線用ケーブル。
【請求項２】
２つの回動軸を有する２軸ヒンジ部を介して一の筐体と他の筐体とが回動可能に連結されてなる折畳式電子機器において、
請求項１に記載の配線用ケーブルが前記２軸ヒンジ部内に配線され、前記配線用ケーブルの一の巻回部が前記２軸ヒンジ部の一方の回動軸周りに設けられる一方、前記一の巻回部に隣接する他の巻回部が前記２軸ヒンジ部の他方の回動軸周りに設けられてなることを特徴とする折畳式電子機器。
【請求項３】
２筐体を連結するヒンジ部内におけるケーブル配線方法であって、
ケーブルに複数の巻回部を設けるとともに、隣接する前記巻回部の巻回方向を相互に逆方向に設定することを特徴とするケーブル配線方法。
【発明の詳細な説明】
【０００１】
【発明の属する技術分野】
本発明は、配線用ケーブル、折畳式電子機器及びケーブル配線方法に関する。
【０００２】
【従来の技術】
従来より、ヒンジ部を介して２つの筐体を回動可能に連結して構成した折畳式電子機器（例えば、携帯電話機、ＰＨＳ（Ｒ）、ＰＤＡ、ノート型ＰＣ、デジタルカメラ等）が提案され、実用化されている。かかる折畳式電子機器１００の内部には、図８に示すように、一の筐体１１０と他の筐体１２０とを電気的に接続するためのケーブル２００が設けられている。
【０００３】
ケーブル２００の一部は、一の筐体１１０と他の筐体１２０との間に設けられたヒンジ部１３０内に配線される（図８（ａ）参照）。図８（ａ）に示したような１つの回動軸１３１を有するヒンジ部１３０内にケーブル２００の一部を配線する場合には、回動軸１３１の周りにケーブル２００の一部を巻回するのが一般的である（例えば、特許文献１参照。）。
【０００４】
【特許文献１】
特開２００２−３１９７７１号公報（第３頁、第６図）
【０００５】
【発明が解決しようとする課題】
しかし、図８（ａ）に示したように回動軸１３１の周囲にケーブル２００を巻回した場合には、２筐体１１０、１２０が閉状態から開状態に移行するに従って（図８（ａ）〜（ｃ）参照）ケーブル２００の巻回部２１０の径が大きくなるため、巻回部２１０の占有スペースが拡大してしまう（図８（ｄ）参照）。従って、拡大した巻回部２１０を収納するために、ヒンジ部１３０に広い収納スペースを確保する必要がある。このようにヒンジ部１３０に広い収納スペースを確保しようとすると、折畳式電子機器１００の体積や重量も必然的に大きくなり、電子機器の小型化・軽量化の要請に反するという問題があった。
【０００６】
本発明の課題は、２筐体を連結するヒンジ部内に配線される配線用ケーブルにおいて、筐体の回動動作に伴う巻回部の拡大を抑制して占有スペースの縮小を図ることである。
【０００７】
また、本発明の課題は、前記した配線用ケーブルを備える折畳式電子機器を提供することである。
【０００８】
また、本発明の課題は、ヒンジ部内におけるケーブルの占有スペースを縮小することができるケーブル配線方法を提供することである。
【０００９】
【課題を解決するための手段】
以上の課題を解決するため、請求項１に記載の発明は、
例えば図１、図２、図４及び図５に示すように、
２筐体（１０、２０）を連結するヒンジ部（３０）内に配置される配線用ケーブル（４０）において、
複数の巻回部（４１ａ、４２ａ）が設けられるとともに、隣接する前記巻回部（４１ａ、４２ａ）の巻回方向（Ｒ１、Ｒ２）が相互に逆方向に設定されてなることを特徴とする。
【００１０】
請求項１に記載の発明によれば、配線用ケーブルに複数の巻回部が設けられており、隣接する巻回部の巻回方向が相互に逆方向に設定されている。従って、例えば、本発明に係る配線用ケーブルを、２筐体を連結する２軸ヒンジ部内に配線し、一の巻回部を２軸ヒンジ部の一方の回動軸周りに設けるとともに、隣接する他の巻回部を２軸ヒンジ部の他方の回動軸周りに設けることにより、筐体の回動動作に伴って一の巻回部から送出されるケーブルを、隣接する他の巻回部によって巻き取ることができる。従って、筐体の回動動作に伴う巻回部の拡大を抑制することができる。このため、配線用ケーブルの収納スペースを縮小することができるので、ヒンジ部の小型化・軽量化に寄与することができる。
【００１１】
請求項２に記載の発明は、
例えば図１〜図５に示すように、
２つの回動軸（３１、３２）を有する２軸ヒンジ部（３０）を介して一の筐体（１０）と他の筐体（２０）とが回動可能に連結されてなる折畳式電子機器（１）において、
請求項１に記載の配線用ケーブル（４０）が前記２軸ヒンジ部（３０）内に配線され、前記配線用ケーブル（４０）の一の巻回部（４１ａ）が前記２軸ヒンジ部（３０）の一方の回動軸（３１）周りに設けられるとともに、前記一の巻回部（４１ａ）に隣接する他の巻回部（４２ａ）が前記２軸ヒンジ部（３０）の他方の回動軸（３２）周りに設けられてなることを特徴とする。
【００１２】
請求項２に記載の発明によれば、請求項１に記載の配線用ケーブルが２軸ヒンジ部内に配線されており、この配線用ケーブルの一の巻回部が２軸ヒンジ部の一方の回動軸周りに設けられるとともに、一の巻回部に隣接する他の巻回部が２軸ヒンジ部の他方の回動軸周りに設けられている。このため、２軸ヒンジ部を中心にして筐体が回動することに起因して一の巻回部からケーブルが送出された場合においても、隣接する他の巻回部によってこの送出されたケーブルを巻き取ることができる。従って、筐体の回動動作に伴う配線用ケーブルの巻回部の拡大を抑制することができるので、２軸ヒンジ部における配線用ケーブルの収納スペースを縮小することができる。この結果、機器全体の小型化・軽量化を達成することができる。
【００１３】
請求項３に記載の発明は、
例えば図１、図２、図４及び図５に示すように、
２筐体（１０、２０）を連結するヒンジ部（３０）内におけるケーブル配線方法であって、
ケーブル（４０）に複数の巻回部（４１ａ、４２ａ）を設けるとともに、隣接する前記巻回部（４１ａ、４２ａ）の巻回方向（Ｒ１、Ｒ２）を相互に逆方向に設定することを特徴とする。
【００１４】
請求項３に記載の発明によれば、２筐体を連結するヒンジ部内に所定のケーブルを配線する際に、ケーブルに複数の巻回部を設けるとともに隣接する巻回部の巻回方向を相互に逆方向に設定するので、ヒンジ部を中心とした筐体の回動動作に伴って一の巻回部からケーブルが送出された場合においても、隣接する他の巻回部によってこの送出されたケーブルを巻き取ることができる。従って、ヒンジ部内におけるケーブルの占有スペースを縮小することができる。
【００１５】
【発明の実施の形態】
以下、図を参照して本発明の実施の形態を詳細に説明する。
【００１６】
［第１の実施の形態］
最初に、図１〜図６を用いて、本発明の第１の実施の形態について説明する。本実施の形態においては、本発明に係る折畳式電子機器の例として、２軸ヒンジ部３０を有するデジタルカメラ１を挙げることとする。また、本発明に係る配線用ケーブルの一例として、デジタルカメラ１の２軸ヒンジ部３０に配置されるＦＰＣケーブル４０を採用している。
【００１７】
まず、本実施の形態に係るデジタルカメラ１の全体構成について図１〜図４を用いて説明する。図１は、開かれた状態にあるデジタルカメラ１の平面図であり、図２は、開かれた状態にあるデジタルカメラ１の斜視図である。また、図３（ａ）は、デジタルカメラ１の第１筐体１０の内側面と第２筐体２０の内側面とを対向させた状態（以下、「携行状態」という）を示す斜視図である。図３（ｂ）は、図３（ａ）の携行状態から第１筐体１０及び第２筐体２０を回動させて開いた状態を示す斜視図である。図３（ｃ）は、第１筐体１０の外側面と第２筐体２０の外側面とを対向させた状態（以下、「撮像状態」という）を示す斜視図である。また、図４はＦＰＣケーブル４０の平面図である。
【００１８】
デジタルカメラ１は、撮像部１１等を備えた第１筐体１０、表示部２１等を備えた第２筐体２０、これら第１筐体１０と第２筐体２０とを回動可能に連結する２軸ヒンジ部３０、第１筐体１０内の部品と第２筐体内の部品とを電気的に接続するためのＦＰＣケーブル４０、等を備えて構成されている。
【００１９】
第１筐体１０は、図１及び図２に示すように、アルミニウムやステンレス等の金属材料で構成された薄型の筐体であり、略直方体形状を呈している。第１筐体１０には、レンズやＣＣＤ等で構成される撮像部１１、取得した画像情報や各種データを記録するためのメモリカードＭを装着させるカードスロット部１２、暗部撮像時に被写体に光を照射するストロボ発光部、自動撮像時に撮像のタイミングを報知するセルフタイマランプ、デジタルカメラ１全体を統合制御する制御部、等が搭載されている。撮像部１１のレンズ１１ａは、第１筐体１０の内側に向けて配置されている。なお、ストロボ発光部、セルフタイマランプ及び制御部については、図示を省略している。
【００２０】
制御部は、デジタルカメラ１全体を統合制御するＣＰＵ、各種制御プログラム等を記録したＲＯＭ、画像情報を一時的に保存するとともに制御プログラムを一時的に展開させるためのワークエリアとして機能するＲＡＭ、等を備えている。制御部には、撮像部１１やカードスロット部１２が電気的に接続されている。また、制御部は、ＦＰＣケーブル４０を介して第２筐体２０の表示部２１や操作部に電気的に接続されている。第２筐体２０の操作部の操作信号を受けた制御部は、撮像部１１を駆動制御して所定の撮像動作を実現させる。
【００２１】
第２筐体２０は、図１及び図２に示すように、アルミニウムやステンレス等の金属材料で構成された薄型の筐体であり、略直方体形状を呈している。第２筐体２０には、被写体の静止画像情報や動画像情報を表示する表示部２１、撮像時に用いるシャッタキーやモード選択等を行うための機能キー等から構成される操作部、ファインダ接眼部、等が搭載されている。表示部２１や操作部は、後述するＦＰＣケーブル４０を介して、第１筐体１０に搭載された制御部に電気的に接続されており、この制御部のＣＰＵによって制御される。なお、操作部及びファインダ接眼部については、図示を省略している。
【００２２】
２軸ヒンジ部３０は、第１筐体１０に固定される第１回動軸３１、第１回動軸３１の外周の一部に設けられる第１ギア部３１ａ、第２筐体２０に固定される第２回動軸３２、第２回動軸３２の外周の一部に設けられて第１ギア部３１ａと噛み合う第２ギア部３２ａ、第１回動軸３１と第２回動軸３２とを回動可能に支持するベアリング部３３、等を備えて構成されている。
【００２３】
第１回動軸３１は第１筐体１０の端部に固定されており、第２回動軸３２は第２筐体２０の端部に固定されている（図１及び図２参照）。そして、第１回動軸３１の外周の一部に設けられた第１ギア部３１ａと、第２回動軸３２の外周の一部に設けられた第２ギア部３２ａと、は相互に反対方向に同一角度だけ回動するように構成されている。
【００２４】
携行状態（図３（ａ）参照）にあるデジタルカメラ１に、第１筐体１０と第２筐体２０とを離隔させるような外力を作用させると、その外力が２軸ヒンジ部３０に伝達されて、第１ギア部３１ａ及び第２ギア部３２ａが相互に反対方向に同一角度で回動する。この結果、第１ギア部３１ａ及び第２ギア部３２ａに固定された第１筐体１０及び第２筐体２０が、相互に反対方向に同一角度で回動する。
【００２５】
図３（ｂ）は、第１筐体１０及び第２筐体２０（第１ギア部３１ａ及び第２ギア部３２ａ）が、図３（ａ）の携行状態から矢印Ａ及び矢印Ｂの方向に各々９０°回動した状態を示している。図３（ｃ）は、第１筐体１０及び第２筐体２０（第１ギア部３１ａ及び第２ギア部３２ａ）が、図３（ａ）の携行状態から矢印Ａ及び矢印Ｂの方向に各々１８０°回動した状態を示している。
【００２６】
デジタルカメラ１の携行時においては、第１筐体１０の内側面と第２筐体２０の内側面とを対向させて、撮像部１１や表示部２１を内部に収納することができる（図３（ａ）参照）。一方、デジタルカメラ１を用いて撮像を行う時には、第１筐体１０の外側面と第２筐体２０の外側面とを対向させて、撮像部１１や表示部２１を露出させることができる（図３（ｃ）参照）。
【００２７】
ＦＰＣケーブル４０は、所定間隔で配置した複数の線状ケーブルの両面に粘着フィルムを貼着して構成した長尺帯状ケーブルである（図４参照）。ＦＰＣケーブル４０の一方の端部に設けられた端子４０ａは、第１筐体１０内の制御部等に接続され、他方の端部に設けられた端子４０ｂは、第２筐体２０内の表示部２１等に接続される。
【００２８】
ＦＰＣケーブル４０の長手方向略中央部には、第１曲折部４１及び第２曲折部４２が形成されている（図４参照）。第１曲折部４１及び第２曲折部４２は、二つの略直角な角部を連接して形成したものであり、これら第１曲折部４１及び第２曲折部４２は中間部４３によって繋がれている。第１曲折部４１は、２軸ヒンジ部３０の第１回動軸３１周りに巻き付けられて第１巻回部４１ａとなり、第２曲折部４２は、２軸ヒンジ部３０の第２回動軸３２周りに巻き付けられて第２巻回部４２ａとなる（図１及び図２参照）。
【００２９】
次に、図５を用いて、ＦＰＣケーブル４０の配線方法について説明する。図５は、２軸ヒンジ部３０の第１回動軸３１及び第２回動軸３２の周りに設けられたＦＰＣケーブル４０の第１巻回部４１ａ及び第２巻回部４２ａの巻回状態を説明するための説明図である。
【００３０】
図５（ａ）は、図３（ａ）のＩ−Ｉ部分の断面図である。図５（ｂ）は、図３（ａ）の携行状態から第１筐体１０及び第２筐体２０を相互に反対方向に約６０°回動させた状態における２軸ヒンジ部３０の断面図である。図５（ｃ）は、図３（ｂ）のＩＩ−ＩＩ部分の断面図である。図５（ｄ）は、図３（ａ）の携行状態から第１筐体１０及び第２筐体２０を相互に反対方向に約１２０°回動させた状態における２軸ヒンジ部３０の断面図である。図５（ｅ）は、図３（ｃ）のＩＩＩ−ＩＩＩ部分の断面図である。
【００３１】
ＦＰＣケーブル４０の第１曲折部４１は、２軸ヒンジ部３０の第１回動軸３１周りに矢印Ｒ１方向（図５（ａ）参照）に巻き付けられて、第１巻回部４１ａとされる。一方、この第１曲折部４１に中間部４３を介して繋がれた第２曲折部４２は、２軸ヒンジ部３０の第２回動軸３２周りに矢印Ｒ２方向（図５（ａ）参照）に巻き付けられて、第２巻回部４２ａとされる。第１巻回部４１ａの巻回方向Ｒ１と第２巻回部４２ａの巻回方向Ｒ２とは逆方向に設定されている。
【００３２】
図３（ａ）の携行状態から、２軸ヒンジ部３０の第１回動軸３１を中心に第１筐体１０を矢印Ａ方向に回動させると、第１回動軸３１周りに形成された第１巻回部４１ａの巻回状態が漸次解除され、ケーブル（中間部４３）が第２巻回部４２ａ側へと漸次送出される（図５（ｂ）、（ｃ）、（ｄ）参照）。一方、第１筐体１０の矢印Ａ方向への回動に連動して、第２筐体２０が２軸ヒンジ部３０の第２回動軸３２を中心に矢印Ｂ方向に回動するため、送出されたケーブル（中間部４３）は第２回動軸３２によって巻き取られる（図５（ｂ）、（ｃ）、（ｄ）参照）。このため、ＦＰＣケーブル４０の第１巻回部４１ａの拡大が抑制されることとなる。
【００３３】
図３（ａ）の携行状態から、第１筐体１０を矢印Ａ方向に約１８０°回動させるとともに、第２筐体２０を矢印Ｂ方向に約１８０°回動させると、図３（ｃ）の撮像状態に移行する。撮像状態におけるＦＰＣケーブル４０の第１巻回部４１ａの巻回状態は、携行状態におけるＦＰＣケーブル４０の第２巻回部４２ａの巻回状態と同一である（図５（ａ）、（ｅ）参照）。また、撮像状態におけるＦＰＣケーブル４０の第２巻回部４２ａの巻回状態は、携行状態におけるＦＰＣケーブル４０の第１巻回部４１ａの巻回状態と同一である（図５（ａ）、（ｅ）参照）。
【００３４】
以上説明した実施の形態に係るデジタルカメラ１においては、ＦＰＣケーブル４０が２軸ヒンジ部３０内に配線されており、ＦＰＣケーブル４０の第１巻回部４１ａが２軸ヒンジ部３０の第１回動軸３１周りに設けられる一方、ＦＰＣケーブル４０の第２巻回部４２ａが２軸ヒンジ部３０の第２回動軸３２周りに設けられている。そして、これら第１巻回部４１ａの巻回方向Ｒ１と、第２巻回部４２ａの巻回方向Ｒ２と、が相互に逆方向に設定されている（図５参照）。
【００３５】
このため、図３（ａ）の携行状態から第１筐体１０及び第２筐体２０を相互に反対方向に回動させることに伴い、第１巻回部４１ａの巻回状態が解除されてケーブル（中間部４３）が第２巻回部４２ａ側に漸次送出された場合においても、この送出されたケーブル（中間部４３）を第２回動軸３２によって巻き取ることができる。
【００３６】
ここで、第１回動軸３１及び第２回動軸３２にＦＰＣケーブル４０を巻回する際に、第１回動軸３１における巻回方向と、第２回動軸３２における巻回方向と、を同一方向（ｒ１、ｒ２：図６（ａ）参照）に設定すると、前記したようなケーブルの巻取動作が不可能となる。すなわち、２軸ヒンジ部３０を中心に第１筐体１０に対して第２筐体２０を略３６０°回動させると、ＦＰＣケーブル４０の第１回動軸３１及び第２回動軸３２に巻回された部分が弛んで径が拡大してしまう（図６（ｂ）参照）。
【００３７】
これに対し、本実施の形態に係るデジタルカメラ１においては、ＦＰＣケーブル４０の第１巻回部４１ａの巻回方向Ｒ１と、第２巻回部４２ａの巻回方向Ｒ２と、が相互に逆方向に設定されているので、ＦＰＣケーブル４０の第１巻回部４１ａの拡大を抑制することができる。従って、２軸ヒンジ部３０におけるＦＰＣケーブル４０の収納スペースを縮小することができるので、デジタルカメラ１の小型化・軽量化を達成することができる。
【００３８】
［第２の実施の形態］
次に、図７を用いて、本発明の第２の実施の形態について説明する。本実施の形態においては、本発明に係る折畳式電子機器の例として、２軸ヒンジ部３０Ａを有する折畳式の携帯電話機１Ａを挙げることとする。図７は、開かれた状態にある携帯電話機１Ａの平面図である。
【００３９】
携帯電話機１Ａは、表示部１０Ｂ等を備えた第１筐体１０Ａ、撮像部２０Ｂ及び操作部２０Ｃ等を備えた第２筐体２０Ａ、これら第１筐体１０Ａと第２筐体２０Ａとを回動可能に連結する２軸ヒンジ部３０Ａ、第１筐体１０Ａ内の部品と第２筐体２０Ａ内の部品とを電気的に接続するための（図示されていない）ＦＰＣケーブル、等を備えて構成されている。
【００４０】
第１筐体１０Ａには、被写体の静止画像情報や動画像情報を表示する表示部１０Ｂ、スピーカ１０Ｃ等が搭載されている。第２筐体２０Ａには、レンズやＣＣＤ等で構成される撮像部２０Ｂ、十字キーやテンキー等から構成される操作部２０Ｃ、マイク２０Ｄ、携帯電話機１Ａ全体を統合制御する（図示されていない）制御部、等が搭載されている。制御部には、撮像部２０Ｂや操作部２０Ｃが電気的に接続されている。また、制御部は、ＦＰＣケーブルを介して第１筐体１０Ａの表示部１０Ｂに電気的に接続されている。
【００４１】
２軸ヒンジ部３０Ａは、第１筐体１０Ａに固定される第１回動軸、第２筐体２０Ａに固定される第２回動軸、等を備えており、その構成は、第１の実施の形態における２軸ヒンジ部３０（図１〜図３参照）と実質的に同一である。また、ＦＰＣケーブルは、２軸ヒンジ部３０Ａの第１回動軸回りに巻き付けられて第１巻回部となる第１曲折部、２軸ヒンジ部３０Ａの第２回動軸回りに巻き付けられて第２巻回部となる第２曲折部、等を備えており、その構成は、第１の実施の形態におけるＦＰＣケーブル４０（図４参照）と実質的に同一である。
【００４２】
また、ＦＰＣケーブルの配線方法は、第１の実施の形態におけるＦＰＣケーブル４０の配線方法（図５参照）と実質的に同一である。すなわち、ＦＰＣケーブルの第１曲折部を２軸ヒンジ部３０Ａの第１回動軸周りに巻き付けて第１巻回部とする一方、ＦＰＣケーブルの第２曲折部を２軸ヒンジ部３０Ａの第２回動軸周りに巻き付けて第２巻回部とする。そして、これら第１巻回部の巻回方向と第２巻回部の巻回方向とを逆方向に設定する。
【００４３】
以上説明した実施の形態に係る携帯電話機１Ａにおいては、ＦＰＣケーブルが２軸ヒンジ部３０Ａ内に配置されており、ＦＰＣケーブルの第１巻回部が２軸ヒンジ部３０Ａの第１回動軸周りに設けられる一方、ＦＰＣケーブルの第２巻回部が２軸ヒンジ部３０Ａの第２回動軸周りに設けられている。そして、これら第１巻回部の巻回方向と、第２巻回部の巻回方向と、が相互に逆方向に設定されている。
【００４４】
このため、第１筐体１０Ａ及び第２筐体２０Ａを相互に反対方向に回動させることに伴い、ＦＰＣケーブルの第１巻回部の巻回状態が解除されてケーブルが第２巻回部側に漸次送出された場合においても、この送出されたケーブルを第２回動軸によって巻き取ることができる。従って、ＦＰＣケーブルの第１巻回部の拡大を抑制することができるので、２軸ヒンジ部３０ＡにおけるＦＰＣケーブルの収納スペースを縮小することができる。この結果、携帯電話機１Ａの小型化・軽量化を達成することができる。
【００４５】
なお、以上の実施の形態においては、２軸ヒンジ部を介して第１筐体と第２筐体とが回動可能に連結されてなる折畳式のデジタルカメラ１及び携帯電話機１Ａに本発明を適用した例を示したが、同様の構造を有する他の折畳式電子機器（例えば、折畳式のＰＨＳ（Ｒ）、折畳式のＰＤＡ、折畳式のノートＰＣ等）に本発明を適用することができる。
【００４６】
また、以上の実施の形態においては、長尺帯状のＦＰＣケーブルに本発明を適用した例を示したが、通常の「線状」の配線用ケーブルに本発明を適用することもできる。
【００４７】
また、以上の実施の形態においては、２つの回動軸（第１回動軸及び第２回動軸）周りに、ＦＰＣケーブルの巻回部（第１巻回部及び第２巻回部）を形成した例を示したが、回動軸を設けることなくＦＰＣケーブルのみを単に巻回して巻回部を形成した場合でも、同様の効果を得ることができる。
【００４８】
また、以上の実施の形態においては、２つの回動軸を有する２軸ヒンジ部内にＦＰＣケーブルを配置し、２つの回動軸周りに巻回部を形成した例を示したが、３つ以上の回動軸を有するヒンジ部内に本発明に係る配線用ケーブルを配置し、各回動軸周りに巻回部を形成することもできる。この際には、隣接する巻回部の巻回方向を相互に逆方向に設定することにより、本発明による効果を得ることができる。
【００４９】
また、以上の実施の形態においては、２軸ヒンジ部に第１ギア部及び第２ギア部を設けることにより、第１筐体と第２筐体とを相互に反対方向に同一角度だけ回動させて、第１回動軸からのケーブルの送出量と、第２回動軸によるケーブルの巻取量と、を一致させるようにしているが、必ずしも第１ギア部及び第２ギア部を設ける必要はない。すなわち、ヒンジ部を中心に２筐体を回動させた際にケーブルの送出量とケーブルの巻取量とがほぼ一致するような構造を採用すればよい。
【００５０】
【発明の効果】
請求項１に記載の発明によれば、配線用ケーブルに複数の巻回部が設けられており、隣接する巻回部の巻回方向が相互に逆方向に設定されている。従って、例えば、本発明に係る配線用ケーブルを、２筐体を連結する２軸ヒンジ部内に配線し、一の巻回部を２軸ヒンジ部の一方の回動軸周りに設けるとともに、隣接する他の巻回部を２軸ヒンジ部の他方の回動軸周りに設けることにより、筐体の回動動作に伴って一の巻回部から送出されるケーブルを、隣接する他の巻回部によって巻き取ることができる。従って、筐体の回動動作に伴う巻回部の拡大を抑制することができる。このため、配線用ケーブルの収納スペースを縮小することができるので、ヒンジ部の小型化・軽量化に寄与することができる。
【００５１】
請求項２に記載の発明によれば、請求項１に記載の配線用ケーブルが２軸ヒンジ部内に配線されており、この配線用ケーブルの一の巻回部が２軸ヒンジ部の一方の回動軸周りに設けられるとともに、一の巻回部に隣接する他の巻回部が２軸ヒンジ部の他方の回動軸周りに設けられている。このため、２軸ヒンジ部を中心にして筐体が回動することに起因して一の巻回部からケーブルが送出された場合においても、隣接する他の巻回部によってこの送出されたケーブルを巻き取ることができる。従って、筐体の回動動作に伴う配線用ケーブルの巻回部の拡大を抑制することができるので、２軸ヒンジ部における配線用ケーブルの収納スペースを縮小することができる。この結果、機器全体の小型化・軽量化を達成することができる。
【００５２】
請求項３に記載の発明によれば、２筐体を連結するヒンジ部内に所定のケーブルを配線する際に、このケーブルに複数の巻回部を設けるとともに隣接する巻回部の巻回方向を相互に逆方向に設定するので、ヒンジ部を中心とした筐体の回動動作に伴って一の巻回部からケーブルが送出された場合においても、隣接する他の巻回部によってこの送出されたケーブルを巻き取ることができる。従って、ヒンジ部内におけるケーブルの占有スペースを縮小することができる。
【図面の簡単な説明】
【図１】本発明の第１の実施の形態に係る折畳式電子機器（デジタルカメラ）の平面図である。
【図２】図１に示したデジタルカメラの斜視図である。
【図３】（ａ）は、図１に示したデジタルカメラの携行状態を示す斜視図であり、（ｂ）は、（ａ）の携行状態にあるデジタルカメラの第１筐体及び第２筐体を各々９０°回動させた状態を示す斜視図であり、（ｃ）は、図１に示したデジタルカメラの撮像状態を示す斜視図である。
【図４】図１に示したデジタルカメラに備えられるＦＰＣケーブルの平面図である。
【図５】図１に示したデジタルカメラの２軸ヒンジ部の第１回動軸周り及び第２回動軸の周りに設けられたＦＰＣケーブルの第１巻回部及び第２巻回部の巻回状態を説明するための説明図である。
【図６】図１に示したデジタルカメラの２軸ヒンジ部の第１回動軸周り及び第２回動軸の周りに、ＦＰＣケーブルを同一方向に巻回した状態を説明するための説明図である。
【図７】本発明の第２の実施の形態に係る折畳式電子機器（携帯電話機）の平面図である。
【図８】従来の１軸ヒンジ部にケーブルを巻回した状態を示す説明図である。
【符号の説明】
１            デジタルカメラ（折畳式電子機器）
１Ａ          携帯電話機（折畳式電子機器）
１０、１０Ａ  第１筐体（一の筐体）
２０、２０Ａ  第２筐体（他の筐体）
３０、３０Ａ  ２軸ヒンジ部
３１          第１回動軸
３２          第２回動軸
４０          ＦＰＣケーブル（配線用ケーブル）
４１ａ        第１巻回部
４２ａ        第２巻回部
Ｒ１          第１巻回部の巻回方向
Ｒ２          第２巻回部の巻回方向
【図１】
2005019629.tif 000003
【図２】
2005019629.tif 000004
【図３】
2005019629.tif 000005
【図４】
2005019629.tif 000006
【図５】
2005019629.tif 000007
【図６】
2005019629.tif 000008
【図７】
2005019629.tif 000009
【図８】
2005019629.tif 000010